(57)【要約】【課題】ガイド片の保持を確実にして吊り戸を安定的にガイドできるようにした吊り戸の下部振止装置を提供すること。【解決手段】床面Ｆに設置されるベース１及び該ベース１に斜め上方に揺動突出可能に収納された１対のガイド片２を備えた床面設置部材３と、該床面設置部材３の揺動突出したガイド片２が挿入される吊り戸本体Ｄに配設した案内溝部材４とからなり、前記１対のガイド片２を斜め上方の揺動突出位置で交差するよう並列しかつ対向して配設するとともに、案内溝部材４の開口端縁部４１の溝幅を吊り戸本体Ｄの端部側Ｄ１のみ、交差したガイド片２の上部２１の幅より広く形成し、吊り戸本体Ｄの端部側Ｄ１を除く中央部Ｄ２において前記ガイド片２の交差部２２付近に案内溝部材４の開口端縁部４１を側方から挿入されるようにしてガイド片２を保持する。【選択図】図１
2005188174.tif 000002
【特許請求の範囲】
【請求項１】
床面に設置されるベース及び該ベースに斜め上方に揺動突出可能に収納された１対のガイド片を備えた床面設置部材と、該床面設置部材の揺動突出したガイド部材が挿入される吊り戸本体に配設した案内溝部材とからなり、前記１対のガイド片を斜め上方の揺動突出位置で交差するよう並列しかつ対向して配設するとともに、案内溝部材の開口端縁部の溝幅を吊り戸本体の端部側のみ、交差したガイド片の上部の幅より広く形成し、吊り戸本体の端部側を除く中央部において前記ガイド部材の交差部付近に案内溝部材の開口端縁部を側方から挿入されるようにして、ガイド片を保持するようにしたことを特徴とする吊り戸の下部振止装置。
【請求項２】
ガイド片の少なくとも一部を磁性体材料で構成するとともに、吊り戸本体の端部側にのみガイド片を吸着する磁石を配設したことを特徴とする請求項１記載の吊り戸の下部振止装置。
【請求項３】
ベース及びガイド片を薄板状に形成したことを特徴とする請求項１又は２記載の吊り戸の下部振止装置。
【発明の詳細な説明】
【技術分野】
【０００１】
本発明は、吊り戸の下部振止装置に関し、特に、ガイド片の保持を確実にして吊り戸を安定的にガイドできるようにした吊り戸の下部振止装置に関するものである。
【背景技術】
【０００２】
従来、特許文献１に開示されるように、天井レールにランナーを介して走行自在に吊り下げられた吊り戸に対し、床面に設置した床面設置部材に磁力によって突出可能に設けられたガイドピンが、吊り戸本体の下面に形成された案内溝に挿入されることにより、吊り戸のガイドを行う吊り戸の下部振止装置が知られている。
この吊り戸の下部振止装置は、床に配設されるケースと、該ケースに上方に突出可能に収納されたガイドピンとを備え、ガイドピンを突出させた状態を磁力により維持しながら吊り戸のガイドを行うようにしている。
【０００３】
しかしながら、上記従来の吊り戸の下部振止装置は、ガイドピンを突出させた状態を磁力により維持する方式のため、ガイドピンの保持が不確実となりやすく、吊り戸を安定的にガイドできないという問題があった。
また、従来の吊り戸の下部振止装置は、ガイドピンを含む床面設置部材側に磁石を設けるようにしているため、床面設置部材の構造が複雑になり製造コストがかかるとともに、床面設置部材側に設けた磁石に鉄粉や金属片が吸着されることにより故障の原因となるという問題があった。
【特許文献１】特開平１１−７１９５４号公報
【発明の開示】
【発明が解決しようとする課題】
【０００４】
本発明は、上記従来の吊り戸の下部振止装置が有する問題点に鑑み、ガイド片の保持を確実にして吊り戸を安定的にガイドできるようにした吊り戸の下部振止装置を提供することを第１の目的とする。
【０００５】
また、本発明は、ガイドピンを含む床面設置部材側に磁石を設けないようにすることにより、床面設置部材の構造を簡易にして製造コストを低廉にするとともに、床面設置部材側に故障の原因となる鉄粉や金属片が吸着されないようにした吊り戸の下部振止装置を提供することを第２の目的とする。
【課題を解決するための手段】
【０００６】
上記第１の目的を達成するため、本発明の吊り戸の下部振止装置は、床面に設置されるベース及び該ベースに斜め上方に揺動突出可能に収納された１対のガイド片を備えた床面設置部材と、該床面設置部材の揺動突出したガイド片が挿入される吊り戸本体に配設した案内溝部材とからなり、前記１対のガイド片を斜め上方の揺動突出位置で交差するよう並列しかつ対向して配設するとともに、案内溝部材の開口端縁部の溝幅を吊り戸本体の端部側のみ、交差したガイド片の上部の幅より広く形成し、吊り戸本体の端部側を除く中央部において前記ガイド片の交差部付近に案内溝部材の開口端縁部を側方から挿入されるようにして、ガイド片を保持するようにしたことを特徴とする。
【０００７】
さらに、上記第２の目的を達成するため、本発明の吊り戸の下部振止装置は、ガイド片の少なくとも一部を磁性体材料で構成するとともに、吊り戸本体の端部側にのみガイド片を吸着する磁石を配設したことを特徴とする。
【０００８】
この場合において、ベース及びガイド片を薄板状に形成することができる。
【発明の効果】
【０００９】
本発明の吊り戸の下部振止装置によれば、床面に設置されるベース及び該ベースに斜め上方に揺動突出可能に収納された１対のガイド片を備えた床面設置部材と、該床面設置部材の揺動突出したガイド片が挿入される吊り戸本体に配設した案内溝部材とからなり、前記１対のガイド片を斜め上方の揺動突出位置で交差するよう並列しかつ対向して配設するとともに、案内溝部材の開口端縁部の溝幅を吊り戸本体の端部側のみ、交差したガイド片の上部の幅より広く形成し、吊り戸本体の端部側を除く中央部において前記ガイド片の交差部付近に案内溝部材の開口端縁部を側方から挿入されるようにして、ガイド片を保持するようにしていることから、ガイド片の保持を確実にして吊り戸を安定的にガイドすることができる。
【００１０】
また、ガイド片の少なくとも一部を磁性体材料で構成するとともに、吊り戸本体の端部側にのみガイド片を吸着する磁石を配設することにより、ガイド片を含む床面設置部材側に磁石を設ける必要がなく、床面設置部材の構造を簡易にして製造コストを低廉にするとともに、床面設置部材側に故障の原因となる鉄粉や金属片が吸着されないようにすることができる。
【００１１】
この場合、ベース及びガイド片を薄板状に形成することにより、床面設置部材を薄く形成することができ、床面設置部材を埋め込むことなく容易に床面に設置することができる。
【発明を実施するための最良の形態】
【００１２】
以下、本発明の吊り戸の下部振止装置の実施の形態を図面に基づいて説明する。
【実施例１】
【００１３】
図１〜図３に、本発明の吊り戸の下部振止装置の一実施例を示す。
この吊り戸の下部振止装置は、床面Ｆに設置されるベース１及び該ベース１に斜め上方に揺動突出可能に収納された１対のガイド片２を備えた床面設置部材３と、該床面設置部材３の揺動突出したガイド片２が挿入される吊り戸本体Ｄに配設した案内溝部材４とを備えている。
そして、前記１対のガイド片２を斜め上方の揺動突出位置で交差するよう並列しかつ対向して配設するとともに、案内溝部材４の開口端縁部４１の溝幅を吊り戸本体Ｄの端部側Ｄ１のみ、交差したガイド片２の上部２１の幅より広く形成し、吊り戸本体Ｄの端部側Ｄ１を除く中央部Ｄ２において前記ガイド片２の交差部２２付近に案内溝部材４の開口端縁部４１を側方から挿入されるようにして、ガイド片２を保持するようにしている。
【００１４】
図３に示すように、ベース１及びガイド片２は薄板状に形成されており、軸２３によって揺動可能に枢着されたガイド片２が、ベース１の切欠部１１に同一平面をなすように収納されている。
このように、ベース１及びガイド片２は薄板状に形成することにより、床面設置部材３を薄く形成することができ、図１に示すように、床面設置部材３を埋め込むことなく容易に床面Ｆに設置することができる。
また、１対のガイド片２は、吊り戸の走行方向に並べて配設されるとともに、吊り戸の幅方向で逆の端部が枢支されることにより、斜め上方の揺動突出位置で交差するようになっている。
なお、各ガイド片２は、少なくとも上部又は全体が鉄等の磁性体材料で構成されており、また、その斜め上方の揺動突出位置は、本実施例では、案内溝部材４の円弧状の上壁に当接することにより規制されている。
【００１５】
一方、吊り戸本体Ｄは、天井レールにランナー（図示省略）を介して走行自在に吊り下げられている。
図２に示すように、吊り戸本体Ｄの下面には、床面設置部材３の揺動突出した１対ガイド片２が挿入される案内溝部材４が配設されている。
この案内溝部材４は、図２に示すように、案内溝部材４の案内溝４２の開口端縁部４１の溝幅を吊り戸本体Ｄの端部側Ｄ１（端部側移行部Ｄ３は、端部側Ｄ１から中央部にガイド片２が円滑に移行するための移行する部分であり、案内溝部材４の開口端縁部４１の溝幅が中央部に向けて漸次狭くなるように形成するようにしている。）のみ、交差したガイド片２の上部２１の幅より広く形成し、吊り戸本体Ｄの端部側Ｄ１を除く中央部Ｄ２において前記ガイド片２の交差部２２付近に案内溝部材４の開口端縁部４１を側方から挿入されるようにして、ガイド片２を保持するようにしている。
そして、吊り戸本体Ｄの端部側Ｄ１（端部側移行部Ｄ３を含む。）にのみガイド片２を吸着する磁石５を配設するようにしている。
【００１６】
この吊り戸の下部振止装置は、吊り戸本体Ｄが、床面Ｆに設置された床面設置部材３の上方位置に来ると、図１（ａ）に示すように、吊り戸本体Ｄの端部側Ｄ１に配設した磁石５によって１対のガイド片２が吸着され、各ガイド片２は相互に交差するように斜め上方に揺動突出し、吊り戸本体Ｄの案内溝部材４の案内溝４２に自動的に挿入される。
そして、さらに吊り戸本体Ｄが移動することにより、図１（ｂ）〜（ｃ）に示すように、交差したガイド片２の上部２１の幅より狭く形成した、吊り戸本体Ｄの端部側Ｄ１を除く中央部Ｄ２においてガイド片２の交差部２２付近に案内溝部材４の開口端縁部４１を側方から挿入されるようにして、ガイド片２を保持するようにする。
これにより、ガイド片２を吸着する磁石が存在しない吊り戸本体Ｄの中央部Ｄ２において、ガイド片２を確実に保持することができる。
なお、吊り戸本体Ｄが、床面Ｆに設置された床面設置部材３の上方位置から去ると、各ガイド片２は重力によりベース１内に退入する。
【００１７】
かくして、本実施例の吊り戸の下部振止装置は、床面Ｆに設置されるベース１及び該ベース１に斜め上方に揺動突出可能に収納された１対のガイド片２を備えた床面設置部材３と、該床面設置部材３の揺動突出したガイド片２が挿入される吊り戸本体Ｄに配設した案内溝部材４とからなり、前記１対のガイド片２を斜め上方の揺動突出位置で交差するよう並列しかつ対向して配設するとともに、案内溝部材４の開口端縁部４１の溝幅を吊り戸本体Ｄの端部側Ｄ１のみ、交差したガイド片２の上部２１の幅より広く形成し、吊り戸本体Ｄの端部側Ｄ１を除く中央部Ｄ２において前記ガイド片２の交差部２２付近に案内溝部材４の開口端縁部４１を側方から挿入されるようにして、ガイド片２を保持するようにしていることから、ガイド片２の保持を確実にして吊り戸を安定的にガイドすることができる。
また、ガイド片２の少なくとも一部を磁性体材料で構成するとともに、吊り戸本体Ｄの端部側Ｄ１にのみガイド片２を吸着する磁石５を配設したことにより、ガイド片２を含む床面設置部材３側に磁石５を設ける必要がなく、床面設置部材３の構造を簡易にして製造コストを低廉にするとともに、床面設置部材３側に故障の原因となる鉄粉や金属片が吸着されないようにすることができる。
そして、ベース１及びガイド片２を薄板状に形成したことにより、床面設置部材３を薄く形成することができ、床面設置部材３を埋め込むことなく容易に床面Ｆに設置することができる。
【００１８】
以上、本発明の吊り戸の下部振止装置について、実施例に基づいて説明したが、本発明の吊り戸の下部振止装置は、これらの実施例の構成に限定されるものではなく、その趣旨を逸脱しない範囲において適宜に変更することが可能である。
【産業上の利用可能性】
【００１９】
本発明の吊り戸の下部振止装置は、ガイド片の保持を確実にして吊り戸を安定的にガイドするとともに、床面設置部材側に磁石を設けないようにすることができ、床面に深い埋め込み孔を形成することが困難な場合等を含め、吊り戸の下部振止の用途に広く用いることができる。
【図面の簡単な説明】
【００２０】
【図１】本発明の吊り戸の下部振止装置の一実施例を示し、（ａ）は吊り戸本体の端部側での動作状態を示す断面（端面）図、（ｂ）は吊り戸本体の端部側移行部での動作状態を示す断面図、（ｃ）は吊り戸本体の中央部での動作状態を示す断面図である。
【図２】同吊り戸の下部振止装置の案内溝部材を示し、（ａ）は断面正面図、（ｂ）は底面図、（ｃ）は拡大斜視図である。
【図３】同吊り戸の下部振止装置の床面設置部材を示し、（ａ）は平面図、（ｂ）は（ａ）のＡ−Ａ線断面図、（ｃ）は（ａ）のＢ−Ｂ線断面図である。
【符号の説明】
【００２１】
Ｆ    床面
Ｄ    吊り戸本体
Ｄ１  端部側
Ｄ２  中央部
Ｄ３  端部側移行部
１    ベース
１１  切欠部
２    ガイド片
２１  上部
２２  交差部
２３  軸
３    床面設置部材
４    案内溝部材
４１  開口端縁部
４２  案内溝
５    磁石    
【図１】
2005188174.tif 000003
【図２】
2005188174.tif 000004
【図３】
2005188174.tif 000005